(57)【要約】【課題】格子状の線状グリッドを有するアパーチャグリルを光学マスクとし、フェースパネル内面にストライプ状の蛍光面焼き付けを行う際に、必要な光量の照射光をフェースパネル内面の全域にわたって均一に照射する。【解決手段】有効発光長ａの直管状水銀ランプ６から出力される光を、中心開口幅Ｗ１に対して端部開口幅Ｗ２が　Ｗ２＞Ｗ１　となるように設定された光通過窓７を有する光源発光長調整板８を介してフェースパネル内面に照射するように配置し、中心開口幅Ｗ１がＷ１≧０．４×ａとなるように設定する。【選択図】　　　　図４
2004014455.tif 000002
【特許請求の範囲】
【請求項１】
カラー陰極線管のフェースパネルを露光するための露光光を出力する露光用光源装置において、
細長い円筒状で、有効発光長ａの露光用光源と、
該露光用光源に対向して配置され、中央部から両端部に向かうにつれて幅広となるように形成された光通過窓で前記露光光を通過し、他の箇所では遮蔽する光源発光長調整板と
を有し、
前記フェースパネルの端部を露光する見かけの光源領域の一部が、前記露光用光源の有効発光領域からはみ出るように配置すると共に、前記光通過窓の中央部の中心開口幅Ｗ１を、Ｗ１≧０．４×ａとなるように設定したことを特徴とする露光用光源装置。
【請求項２】
前記光通過窓の形状が、前記中央部から前記両端部に向けて、対向する側辺部が円弧を描くように幅が広くなるように形成されたことを特徴とする請求項１記載の露光用光源装置。
【請求項３】
前記光通過窓の形状が、前記中央部から前記両端部に向けて、対向する側辺部が楕円を描くように幅が広くなるように形成されたことを特徴とする請求項１記載の露光用光源装置。
【請求項４】
前記有効発光長ａを略２０ｍｍから２５ｍｍの範囲内に、且つ前記中心開口幅Ｗ１を１０ｍｍ程度に設定したことを特徴とする請求項１乃至３のいずれかに記載の露光用光源装置。
【請求項５】
カラー陰極線管のフェースパネルの、蛍光体懸濁液が塗布された内面を露光して蛍光面を形成するためのカラー陰極線管の露光装置であって、
前記フェースパネルを載置する筐体と、
前記筐体内部に配設された請求項１記載の露光用光源装置と、
前記筐体内にあって、前記露光用光源装置から出力される光路上に配設された光学系と
を有し、
前記露光用光源装置から出力される光が、前記光学系を介して前記フェースパネルの内面に照射されるように構成したことを特徴とするカラー陰極線管の露光装置。
【発明の詳細な説明】
【０００１】
【発明の属する技術分野】
本発明は、カラー陰極線管のフェースパネル内面にストライプ状の蛍光面を形成するための露光装置に関し、更にこの露光装置の照射光を形成する露光用光源装置に関する。
【０００２】
【従来の技術】
従来、カラー陰極線管のフェースパネル内面にストライプ状の蛍光面を形成する例として、格子状の線状グリットを有するアパーチャグリルを光学マスクとし、これをパターンとした写真印刷の技術が用いられている。これは、偏向された電子ビームの経路と、偏向中心に置かれた光源から出た光の経路とがほぼ同じとなることを利用したものである。
【０００３】
実際の蛍光面の製造においては、先ず、フェースパネル内面に感光により硬化する蛍光体懸濁液を塗布して乾燥した後に光学マスク（アパーチャグリル）を装着し、偏向中心部に露光用光源装置を置いて蛍光体懸濁液からなる感光剤層を露光し、その後に光学マスクを外して現像する。これにより、光源部から光学マスクの格子状開孔を介して光が照射された部分のみに蛍光体が残る。
【０００４】
以上の工程を所定の３色蛍光体のそれぞれについて行うことによって、ストライプ状のカラー陰極線管の蛍光面が完成する。尚、フェースパネル内面に光吸収層であるブラックマトリックス層を形成する場合は、この蛍光面を形成する前に行う。
【０００５】
図９は、上記したアパーチャグリル方式のカラー陰極線管の蛍光面を形成するための、従来の露光装置１００の要部を示す要部構成図であり、図１０は、露光光の経路となる露光装置１００の各部の関係を、模式的に示した原理説明図である。
【０００６】
同図中、露光装置の筐体１０１内には、直管状水銀ランプ１０６を具備した露光用光源装置１０２と、直管状水銀ランプ１０６より発射された光線を、実際の偏向された電子ビームの経路に近似させるための補正レンズ等からなる光学系１０３が備えられている。
【０００７】
図１０に示すように、ストライプ状の蛍光面をフェースパネル内面に形成すべく、線状光源である露光用光源装置１０２内部の直管状水銀ランプ１０６から放射された光は、光路上の所定位置に配置された光源発光長調整板１０８の光通過窓１０７を通過し、光学系１０３で屈折されて格子状の光学マスクであるアパーチャグリル１０４の孔１０５を通過し、フェースパネル１０９の内面に塗布された蛍光体懸濁液の塗布層１１０に照射される。尚、図１０において、フェースパネル１０９の長軸としてＸ軸を、短軸としてＹ軸を、そして両軸と直交する方向にＺ軸を設定する。
【０００８】
この際、線状光源である露光用光源装置１０２内部の直管状水銀ランプ１０６から放射された光の光量は、放射光が通過する光源発光長調整板１０８の光通過窓１０７の形状によって決定される。即ち、直管状水銀ランプ１０６の有効発光長ａ（図１０参照）が、光源発光長調整板１０８の光通過窓１０７の開孔幅によって限定され、見かけの光源発光長となってその光量が定まる。
【０００９】
また通常、光通過窓１０７の開孔形状は、光学マスクの種類によって大きく異なる。例えば、ドット状に構成された光学マスクをパターンとしたカラー陰極線管のドット状の蛍光面焼き付けに必要とされる直管状水銀ランプ１０６から放射される光の光量は、線状グリッドに構成された格子状の光学マスクであるアパーチャグリルをパターンとしたカラー陰極線管のストライプ状の蛍光面焼き付けに必要とされる直管状水銀ランプ１０６から放射される光の光量に対して大きく異なる。
【００１０】
その理由は、光学マスクのパターンが、ドット状か或いはグリッド状かによって光透過率が大きく異なるためである。光学マスクのパターンがドット状の場合、光源発光長調整板１０８の光通過窓１０７の形状は細長いスリット状に設定されて、見かけ上の光源が略点光源となるように形成され、光学マスクのパターンがグリッド状の場合、光源発光長調整板１０８の光通過窓１０７の形状は略正方形に設定され、見かけ上の光源が線状光源となるように設定される。
【００１１】
後者の場合、図１０に示す光通過窓１０７の開孔幅Ｖによって見かけ上の光源発光長が制限され、開孔幅Ｈは、フェースパネル１０９の内面全体に光を照射させるのに必要とされる照射範囲を遮蔽しないように設定されている。
【００１２】
格子状の線状グリッドを有するアパーチャグリルを光学マスクとし、これをパターンとしたカラー陰極線管のストライプ状の蛍光面を形成するために用いられる露光用光源装置として、実公昭５１−０３４２０６号公報に開示されたものがある。
【００１３】
図１１は、この露光用光源装置（ランプハウス）１０２の構成を示すべく三角法で表した構成図であり、同図（ａ）はその側面断面図、同図（ｂ）はその上面図、同図（ｃ）はその正面断面図である。また、同図中のＸ，Ｙの各軸は、それぞれ図１０の各軸と共通し、配置されるフェースパネル１０９（図１０）の長、短の各軸に相当する。
【００１４】
露光用光源装置（ランプハウス）１０２内部には、配置される光学マスクとしてのアパーチャグリル１０４（図１０参照）の線状グリット１０５と平行となる向き（Ｙ軸方向）に、同方向に延在する細長い直管状水銀ランプ１０６を固定配置し、この直管状水銀ランプの上には一定間隔をおいて光源発光長調整板１０８を配備する。
【００１５】
この光源発光長調整板１０８は、直管状水銀ランプ１０６から出射される光の一部を遮蔽して見かけの光源発光長を限定するもので、その中心部分には光を通過させるための長方形状の光通過窓１０７が設けられている。また光源発光長調整板１０８の上部には、採光用窓ガラス１１２がＯリング１１４とロックリング１１３とで固定されている。
【００１６】
この露光用光源装置１０２及び光源発光長調整板１０８は、例えばステンレスによって構成され、表面には黒色のフェロマイト膜が被着してあり、直管状水銀ランプ１０６からの光の乱反射防止を図っている。また、直管状水銀ランプ１０６は、約２０００℃程度の高温になることから、露光用光源装置１０２の冷却水注排孔１１１から、冷却水（純水）を循環させることで直管状水銀ランプ１０６を冷却するように構成されている。
【００１７】
図１２は、カラー陰極線管のフェースパネル内面にストライプ状の蛍光面を形成する際の、露光用光源装置１０２を構成する直管状水銀ランプ１０６、光源発光長調整板１０８の光通過窓１０７、及びフェースパネル１０９の相対的位置関係を示す原理説明図である。尚、同図中のＸ，Ｙの各軸は、それぞれ図１０の各軸と共通し、配置されるフェースパネル１０９の長、短の各軸に相当する。
【００１８】
図１２に示すように、写真印刷技術による蛍光面の露光は、フェースパネル１０９の内面に対向してアパーチャグリル１０４（図１０参照）をパターンとして配置し、このパターンと露光用光源装置１０２の光源となる直管状水銀ランプ１０６との間に、前記した光学系補正レンズ１０３（図１０）、及び光通過窓１０７を有する光源発光長調整板１０８（図１０）を配設して行われる。この露光に際して、フェースパネル１０９における照度（光量）は、後述するように光通過窓１０７の開孔幅Ｖによって、直管状水銀ランプ１０６の見かけの長さを調節して行われる。
【００１９】
【発明が解決しようとする課題】
格子状の線状グリッドを有するアパーチャグリルを光学マスクとし、カラー陰極線管のフェースパネル内面にストライプ状の蛍光面焼き付けを行う際には、フェースパネル内面において適度な照度の光を照射しなければならない。このため、光源発光長調整板１０８に形成された光通過窓１０７の開口幅寸法を適度に設定する必要がある。また塗布層１１０（図１０）に照射される光の照度は、フェースパネル１０９の内面の照射位置に関係なく均一であることが望ましい。
【００２０】
図１２に示すように、従来のこのような露光用光源装置１０２において、光通過窓１０７を介してフェースパネル１０９の中央部Ｐ１を照射する照射光は、その見かけの光源領域Ｓ１が、直管状水銀ランプ１０６の有効発光長ａの有効発光領域Ｓ内あって所定の光量を得ることができる。しかしながら、同じく光通過窓１０７を介してフェースパネル１０９の周辺部Ｐ２を照射する照射光は、その見かけの光源領域Ｓ２の一部が有効発光領域Ｓからはみ出すため、そのはみ出し長ｔだけ光源発光長が短くなり、その分光量が落ちてしまう。
【００２１】
その結果、フェースパネル周辺部における照度が落ちてしまい、塗布層１１０（図１０）に照射される光の相対照度の均一性が保てなくなる。また、画面サイズが大きくなるほど、この傾向が顕著となる。
【００２２】
また、上記した照度分布の不均一を緩和するために、フェースパネル１０９と露光用光源装置１０２との間に複数の光量補正フィルタを配設する対策もあるが、この光量補正フィルタは、透過光量を減少させることによって照度分布の均一化を図るものであるから、フェースパネル１０９に到達する光を弱める際に光照射部の形状を劣化させてブラックマトリックス形状にむらが生じるなど、精度上好ましいものではなかった。
【００２３】
更に、照度分布の不均一を解決することを目的とした露光用光源装置として、特開平５−１９００９３号公報に開示されたものがある。この実施例には、光源発光長調整板１０８の光通過窓１０７に相当する部分が、中央部で狭く、両サイドで中央部に比べて広く形成されたスリットとすることで、照度分布の不均一が解消できる旨が開示されている。
【００２４】
しかしながら、格子状の線状グリッドを有するアパーチャグリルを光学マスクとし、これをパターンとしたカラー陰極線管のストライプ状の蛍光面焼け付けに用いる露光用光源装置において、露光に必要な光量を得るために必要な要件については開示されていなかった。
【００２５】
本発明は、上記した従来技術の課題を解決すべくなされたもので、その目的は、格子状の線状グリッドを有するアパーチャグリルを光学マスクとし、これをパターンとしたカラー陰極線管のストライプ状の蛍光面焼け付けを行う際に、十分な照度が得られる光源発光長調整板の光通過窓の開口幅寸法を設定し、更に、フェースパネル内面における照度分布の均一性を改善すると共に、フェースパネル内面における良好な光照射部形状を実現して、露光での照度改善によってパネル品位を向上させることが可能な露光用光源装置を提供することにある。
【００２６】
【課題を解決するための手段】
請求項１の露光用光源装置は。カラー陰極線管のフェースパネルを露光するための露光光を出力する露光用光源装置において、
細長い円筒状で、有効発光長ａの露光用光源と、該露光用光源に対向して配置され、中央部から両端部に向かうにつれて幅広となるように形成された光通過窓で前記露光光を通過し、他の箇所では遮蔽する光源発光長調整板とを有し、
前記フェースパネルの端部を露光する見かけの光源領域の一部が、前記露光用光源の有効発光領域からはみ出るように配置すると共に、前記光通過窓の中央部の中心開口幅Ｗ１を、Ｗ１≧０．４×ａとなるように設定したことを特徴とする。
【００２７】
請求項２の露光用光源装置は、請求項１記載の露光用光源装置において、
前記光通過窓の形状が、前記中央部から前記両端部に向けて、対向する側辺部が円弧を描くように幅が広くなるように形成されたことを特徴とする。
また、請求項３の露光用光源装置は、請求項１記載の露光用光源装置において、
前記光通過窓の形状が、前記中央部から前記両端部に向けて、対向する側辺部が楕円を描くように幅が広くなるように形成されたことを特徴とする。
更に、請求項４の露光用光源装置は、請求項１乃至３のいずれかに記載の露光用光源装置において、
前記有効発光長ａを略２０ｍｍから２５ｍｍの範囲内に、且つ前記中心開口幅Ｗ１を１０ｍｍ程度に設定したことを特徴とする。
【００２８】
請求項５のカラー陰極線管の露光装置は、カラー陰極線管のフェースパネルの、蛍光体懸濁液が塗布された内面を露光して蛍光面を形成するためのカラー陰極線管の露光装置であって、
前記フェースパネルを載置する筐体と、前記筐体内部に配設された請求項１記載の露光用光源装置と、前記筐体内にあって、前記露光用光源装置から出力される光路上に配設された光学系とを有し、
前記露光用光源装置から出力される光が、前記光学系を介して前記フェースパネルの内面に照射されるように構成したことを特徴とする。
【００２９】
【発明の実施の形態】
実施の形態１．
図１は、本発明による露光用光源装置を備えた実施の形態１のカラー陰極線管の露光装置１０の概略的な平面図であり、フェースパネル９の長辺軸としてＸ軸を、また短辺軸としてＹ軸を想定する。図２は、図１に示すＸ軸線Ｘ−Ｘ´を含む断面を矢印Ａ方向からみた正面の要部断面図であり、図３は同じく図１に示すＹ軸線Ｙ−Ｙ´を含む断面を矢印Ｂ方向からみた側面の要部断面図である。尚、Ｘ，Ｙの各軸とそれぞれ直交する光軸方向にＺ軸を想定する。
【００３０】
図１乃至図３に示されるように、この露光装置１０の筐体１の上面には、格子状のシャドウマスクであるアパーチャグリル４を備えたフェースパネル９が載置されている。一方、この筐体１の内部には、露光用光源装置２と、この露光用光源装置２から放射されてフェースパネルに向かう光の光路を補正するための補正レンズ等からなる光学系３が配設されている。
【００３１】
図１乃至図３に示すように、実施の形態１の露光用光源装置２は、フェースパネル９の短辺軸（Ｙ軸）と平行に延在し、フェースパネル９に対抗して配置されて露光用の光を発する有効発光長ａの細長い直管状水銀ランプ６と、この直管状水銀ランプ６から出射される光の一部を遮蔽し、後述するように見かけの光源発光長を制限するための光通過窓７を形成した光源発光長調整版８を有する。尚直管状水銀ランプ６が露光用光源に相当する。
【００３２】
また、光源発光長調整板８は、ステンレス材に光源からの光の乱反射を防ぐための黒色のフェロマイト膜を被着したものであるが、光を遮蔽することができる剛性の材料であって、光の乱反射が発生しないものであれば、他の材料で形成してもよい。また、１７インチ陰極線管を対象とする本実施の形態１の露光用光源装置２の場合、直管状水銀ランプ６は、その直径約１．５ｍｍであり、光源発光長調整板８から所定距離だけ離れて配置されている。
【００３３】
尚、この露光用電源装置２は、光源発光長調整板８の光通過窓７の形状を除いて、前記した図１１に示す露光用光源装置（ランプハウス）１０２と同構成としてよく、このため、同構成のものとして、光源発光長調整板８以外の構成的な詳細な説明を省略する。
【００３４】
図４は、露光用光源装置２を構成する直管状水銀ランプ６と光通過窓７との相対的な位置関係を説明するための構成図であって、同図（ａ）はその平面図、同図（ｂ）は同図（ａ）に示すＸ軸線Ｘ−Ｘ´を含む断面を矢印Ａ方向からみた正面の断面図であり、同図（ｃ）は同じく同図（ａ）に示すＹ軸線Ｙ−Ｙ´を含む断面を矢印Ｂ方向からみた側面の断面図である。尚、図４のＸ，Ｙ，Ｚの各軸は図１と共通している。
【００３５】
図４の各図に示すように、光源発光長調整板８の光通過窓７は、直管状水銀ランプ６の中心軸を含むＹ−Ｚ平面と交わる位置の窓幅である中心開口幅Ｗ１がＷ１≧０．４×ａ（光直管状水銀ランプ６の有効発光長）となるように設定され、そして光通過窓７の両端部に向けて幅が直線的に広くなるように形成されている。従って、後述する所定位置での端部開口幅Ｗ２が　Ｗ２＞Ｗ１　となるように設定されている。
【００３６】
本実施の形態では１７インチカラー陰極線管の蛍光面を形成する場合を想定し、有効発光長ａが２０ｍｍから２５ｍｍの範囲、例えば２２ｍｍの直管状水銀ランプを使用し、光通過窓７の中心開口寸法Ｗ１を１０ｍｍとしている。従って、Ｗ１は、０．４ａから０．５ａの範囲となる。尚、ここで使用する直管状水銀ランプ６としては、オーク製作所の製品で製品名ＣＨＭ−４３０を使用し、その明るさは０．１８〜０．２７ｍＷ／ｃｍ２程度である。
【００３７】
図５及び図６は、カラー陰極線管のフェースパネル内面にストライプ状の蛍光面を形成する際の、露光用光源装置２を構成する直管状水銀ランプ６と光源発光長調整板８の光通過窓７、及びフェースパネル９の相対的位置関係を示す原理説明図である。尚、同図中のＸ，Ｙ，Ｚの各軸は、それぞれ図１乃至図３の各軸と共通し、Ｘ，Ｙの各軸が配置されるフェースパネル９の長、短の各軸に相当する。
【００３８】
図５、図６の各図において、直管状水銀ランプ６の有効発光長ａは２０ｍｍから２５ｍｍ程度とし、光通過窓７の中心開口幅Ｗ１は、Ｗ１≧０．４×ａを満たすように設定され、これにより後述するように、フェースパネル９のストライプ状の蛍光面焼け付に必要な十分な光量を得ることが可能となっている。
【００３９】
図５は、直管状水銀ランプ６から放射されて光通過窓７を通過した光が、光路を補正する光学系３（図２）、及び格子状のシャドウマスクであるアパーチャグリル（図２）に形成された孔を通過して、フェースパネル９の中央部Ｐ１に至っている時の状態を示している。
【００４０】
このとき、光通過窓７を通過する光源幅は、光源発光長調整板８における光通過窓７の中心開口幅Ｗ１であり、見かけの光源領域Ｓ１（図１２参照）が、直管状水銀ランプ６の有効発光長ａの有効発光領域Ｓ内にあるため所定の光源発光長Ｗ１ａを得ている。尚、このときの光源発光長Ｗ１ａは、図１２に示す従来の露光用光源装置１０２において、長方形状の光通過窓１０７の開孔幅ＶをＷ１としてフェースパネル１０９の中央部Ｐ１を照射したときの光源発光長に等しい。
【００４１】
一方、図６は、直管状水銀ランプ６から放射されて光通過窓７を通過した光が、光路を補正する光学系３（図２）、及び格子状のシャドウマスクであるアパーチャグリル（図２）に形成された孔を通過して、フェースパネル９の周辺部Ｐ２に至っている時の状態を示している。
【００４２】
尚、同図中に実線で示す光路は、このとき本実施の形態の光源発光長調整板８に形成された光通過窓７を通過する場合の光路を示し、破線で示す光路は、図１２に示す従来の光源発光長調整板１０８において開孔幅ＶをＷ１とした長方形状の光通過窓１０７を通過する場合を想定したときの光路を示している。
【００４３】
このとき、光通過窓７を通過する光源幅は、光源発光長調整板８における光通過窓７の端部開口幅Ｗ２（＞Ｗ１）であり、見かけの光源領域Ｓ２（図１２参照）が、直管状水銀ランプ６の有効発光長ａの有効発光領域Ｓから一部はみ出した状態となり、光源発光長Ｗ１ｂを得ている。
【００４４】
一方、図６に示す光源発光長Ｗ２ｂは、上記した従来の光源発光長調整板１０８の光通過窓１０７を通過する場合を想定したときの光源発光長である。この場合、前記したように見かけの光源領域Ｓ２（図１２参照）の一部が直管状水銀ランプ６の有効発光領域からはみ出すため、そのはみ出し長ｔ１だけ有効光源長が短くなった。本実施の形態で形成される見かけの光源領域も、一端部側で直管状水銀ランプ６の有効発光領域Ｓからはみ出してしまうが、光源領域の他端側において、従来の光源発光長Ｗ２ｂよりｔ２だけ伸びている。
【００４５】
これは、前記したように端部開口幅Ｗ２がＷ１より広くなっていることに起因するが、このため、光源発光長Ｗ１ｂは、従来の源発光長Ｗ２ｂよりもｔ２だけ長くなり、その分光量の減少を抑えることができる。
【００４６】
このようにアパーチャグリルを光学マスクとし、本実施の形態１のように中心部の開口幅が最小となるような形状の光通過窓７が形成された光源発光長調整板８を介してカラー陰極線管のストライプ状の蛍光面焼け付けを行うときの照度は、フェースパネル９の端部を露光する見かけの光源領域の一部が、明るさが０．１８〜０．２７ｍＷ／ｃｍ２程度で、有効発光長ａの直管状水銀ランプ６の有効発光領域Ｓからはみ出るような関係にある場合、中心開口幅Ｗ１よって大きく影響され、Ｗ１を０．４×ａより大きく設定することで必要な光量を得ることができる。
【００４７】
以上のように、実施の形態１の露光用光源装置によれば、有効発光長ａが２０ｍｍから２５ｍｍ程度の直管状水銀ランプ６に対し、中心開口幅Ｗ１が０．４×ａより大きく、且つ端部開口幅Ｗ２がＷ１より大きくなるように設定された光通過窓７が形成された光源発光長調整板８を採用することによって、蛍光面焼け付けを行う際に、十分な照度を得ながら、フェースパネル内面における照度分布の均一性を改善することができる。
【００４８】
実施の形態２．
図７は、本発明による露光用光源装置に採用される実施の形態２の光源発光長調整板１８の形状を示すと共に、カラー陰極線管のフェースパネル内面にストライプ状の蛍光面を形成する際の、露光用光源装置を構成する直管状水銀ランプ６と光源発光長調整板１８の光通過窓１７、及びフェースパネル９の相対関係を示す原理説明図である。尚、同図中のＸ，Ｙ，Ｚの各軸は、それぞれ図１乃至図３の各軸と共通し、Ｘ，Ｙの各軸が配置されるフェースパネル９の長、短の各軸に相当する。
【００４９】
本実施の形態２の光源発光長調整板１８を採用する露光用光源装置は、それ以外の構成要素が、前記した実施の形態１の露光用光源装置２と全く同じであるため、共通する部分については、図示せずにそれらの説明を省略し、異なる点のみを重点的に説明する。
【００５０】
同図に示すように、直管状水銀ランプ６の有効発光長ａは２０ｍｍから２５ｍｍ程度とし、光通過窓１７は、その中心開口幅Ｗ１が０．４×ａ以上となるように設定され、これにより、フェースパネル９のストライプ状の蛍光面焼け付に必要な十分な光量を得ることが可能となっている。そして光通過窓１７の両端部に向けて、対向する側辺部１７ａが円弧を描くように幅が広くなるように形成され、後述する所定位置での端部開口幅Ｗ２が　Ｗ２＞Ｗ１　となるように設定されている。
【００５１】
またこの図７は、直管状水銀ランプ６から放射されて光通過窓１７を通過した光が、光路を補正する光学系３（図２）、及び格子状のシャドウマスクであるアパーチャグリル（図２）に形成された孔を通過して、フェースパネル９の周辺部Ｐ２に至っている時の状態を示している。尚、同図中に実線で示す光路は、このとき本実施の形態の光源発光長調整板１８に形成された光通過窓１７を通過する場合の光路を示し、破線で示す光路は、図１２に示す従来の光源発光長調整板１０８において開孔幅ＶをＷ１とした長方形状の光通過窓１０７を通過する場合を想定したときの光路を示している。
【００５２】
このとき、光通過窓１７を通過する光源幅は、光源発光長調整板１８における光通過窓１７の端部開口幅Ｗ２（＞Ｗ１）であり、見かけの光源領域Ｓ２（図１２参照）が、直管状水銀ランプ６の有効発光長ａの有効発光領域Ｓから一部はみ出した状態となり、光源発光長Ｗ１ｂを得ている。
【００５３】
一方、図７に示す光源発光長Ｗ２ｂは、従来の幅Ｗ１の長方形状の光通過窓を想定したときの光源発光長であるが、この場合、前記したように見かけの光源領域Ｓ２（図１２参照）の一部が直管状水銀ランプ６の有効発光領域からはみ出すため、そのはみ出し長ｔ１だけ有効光源長が短くなった。本実施の形態で形成される見かけの光源領域も、一端部側で直管状水銀ランプ６の有効発光領域Ｓからはみ出してしまうが、光源領域の他端側において、従来の光源発光長Ｗ２ｂよりｔ２だけ伸びている。
【００５４】
これは、前記したように端部開口幅Ｗ２がＷ１より広くなっていることに起因するが、このため、光源発光長Ｗ１ｂは、従来の源発光長Ｗ２ｂよりもｔ２だけ長くなり、その分光量の減少を抑えることができる。
【００５５】
以上のように、実施の形態２の露光用光源装置によれば、実施の形態１と同様の効果が得られる他、フェースパネル内面における照度分布が実施の形態１と異なった特性を示すため、フェースプレート９の平面度等の特性に合わせて、より最適な照度分布を選択することが可能となる。
【００５６】
実施の形態３．
図８は、本発明による露光用光源装置に採用される実施の形態３の光源発光長調整板２８の形状を示すと共に、カラー陰極線管のフェースパネル内面にストライプ状の蛍光面を形成する際の、露光用光源装置を構成する直管状水銀ランプ６と光源発光長調整板２８の光通過窓２７、及びフェースパネル９の相対関係を示す原理説明図である。尚、同図中のＸ，Ｙ，Ｚの各軸は、それぞれ図１乃至図３の各軸と共通し、Ｘ，Ｙの各軸が配置されるフェースパネル９の長、短の各軸に相当する。
【００５７】
本実施の形態３の光源発光長調整板２８を採用する露光用光源装置は、それ以外の構成要素が、前記した実施の形態１の露光用光源装置２と全く同じであるため、共通する部分については、図示せずにそれらの説明を省略し、異なる点のみを重点的に説明する。
【００５８】
同図に示すように、直管状水銀ランプ６の有効発光長ａは２０ｍｍから２５ｍｍ程度とし、光通過窓２７は、その中心開口幅Ｗ１が０．４×ａ以上となるように設定され、これにより、フェースパネル９のストライプ状の蛍光面焼け付に必要な十分な光量を得ることが可能となっている。そして光通過窓２７の両端部に向けて、対向する側辺部２７ａが楕円を描くように幅が広くなるように形成され、後述する所定位置での端部開口幅Ｗ２が　Ｗ２＞Ｗ１　となるように設定されている。
【００５９】
またこの図８は、直管状水銀ランプ６から放射されて光通過窓２７を通過した光が、光路を補正する光学系３（図２）、及び格子状のシャドウマスクであるアパーチャグリル（図２）に形成された孔を通過して、フェースパネル９の周辺部Ｐ２に至っている時の状態を示している
【００６０】
尚、同図中に実線で示す光路は、このとき本実施の形態の光源発光長調整板２８に形成された光通過窓２７を通過する場合の光路を示し、破線で示す光路は、図１２に示す従来の光源発光長調整板１０８において開孔幅ＶをＷ１とした長方形状の光通過窓１０７を通過する場合を想定したときの光路を示している。
【００６１】
このとき、光通過窓２７を通過する光源幅は、光源発光長調整板２８における光通過窓２７の端部開口幅Ｗ２（＞Ｗ１）であり、見かけの光源領域Ｓ２（図１２参照）が、直管状水銀ランプ６の有効発光長ａの有効発光領域Ｓから一部はみ出した状態となり、光源発光長Ｗ１ｂを得ている。
【００６２】
一方、図８に示す光源発光長Ｗ２ｂは、従来の幅Ｗ１の長方形状の光通過窓を想定したときの光源発光長であるが、この場合、前記したように見かけの光源領域Ｓ２（図１２参照）の一部が直管状水銀ランプ６の有効発光領域からはみ出すため、そのはみ出し長ｔ１だけ有効光源長が短くなった。本実施の形態で形成される見かけの光源領域も、一端部側で直管状水銀ランプ６の有効発光領域Ｓからはみ出してしまうが、光源領域の他端側において、従来の光源発光長Ｗ２ｂよりｔ２だけ伸びている。
【００６３】
これは、前記したように端部開口幅Ｗ２がＷ１より広くなっていることに起因するが、このため、光源発光長Ｗ１ｂは、従来の源発光長Ｗ２ｂよりもｔ２だけ長くなり、その分光量の減少を抑えることができる。
【００６４】
以上のように、実施の形態２の露光用光源装置によれば、実施の形態１と同様の効果が得られる他、フェースパネル内面における照度分布が実施の形態１或いは実施の形態２と異なった特性を示すため、フェースプレート９の平面度等の特性に合わせて、より最適な照度分布を選択することが可能となる。
【００６５】
【発明の効果】
請求項１又は４に記載の露光用光源装置によれば、蛍光面焼け付けを行う際に、十分な照度を得ることができると共に、フェースパネル内面における照度分布の均一性を改善することが可能となる。
【００６６】
請求項２又は３に記載の露光用光源装置によれば、請求項１と同様の効果が得られるのに加え、フェースパネル内面における異なった特性の照度分布が得られるため、フェースプレート９の平面度等の特性に合わせてより最適な照度分布を選択して設定することが可能となる。
【００６７】
請求項５記載のカラー陰極線管の露光装置によれば、請求項１の効果を有する露光用光源装置を採用するため、露光での照度改善によってパネル品位を向上させることが可能な露光装置を提供することができる。
【図面の簡単な説明】
【図１】本発明による露光用光源装置を備えた実施の形態１のカラー陰極線管の露光装置１０の概略的な平面図である。
【図２】図１に示すＸ軸線Ｘ−Ｘ´を含む断面を矢印Ａ方向からみた正面の要部断面図である。
【図３】図１に示すＹ軸線Ｙ−Ｙ´を含む断面を矢印Ｂ方向からみた側面の要部断面図である。
【図４】露光用光源装置２を構成する直管状水銀ランプ６と光通過窓７との相対的な位置関係を説明するための構成図であって、（ａ）はその平面図、（ｂ）は（ａ）に示すＸ軸線Ｘ−Ｘ´を含む断面を矢印Ａ方向からみた正面の断面図であり、（ｃ）は同じく（ａ）に示すＹ軸線Ｙ−Ｙ´を含む断面を矢印Ｂ方向からみた側面の断面図である。
【図５】露光用光源装置２を構成する直管状水銀ランプ６と光源発光長調整板８の光通過窓７、及びフェースパネル９の相対的位置関係を示す原理説明図である。
【図６】露光用光源装置２を構成する直管状水銀ランプ６と光源発光長調整板８の光通過窓７、及びフェースパネル９の相対的位置関係を示す原理説明図である。
【図７】本発明による露光用光源装置に採用される実施の形態２の光源発光長調整板１８の形状を示すと共に、直管状水銀ランプ６と光源発光長調整板１８の光通過窓１７、及びフェースパネル９の相対関係を示す原理説明図である。
【図８】本発明による露光用光源装置に採用される実施の形態３の光源発光長調整板２８の形状を示すと共に、直管状水銀ランプ６と光源発光長調整板２８の光通過窓２７、及びフェースパネル９の相対関係を示す原理説明図である。
【図９】従来の露光装置１００の要部を示す要部構成図である。
【図１０】露光光の経路となる露光装置１００の各部の関係を、模式的に示した原理説明図である。
【図１１】露光用光源装置（ランプハウス）１０２の構成図であり、（ａ）はその側面断面図、（ｂ）はその上面図、そして（ｃ）はその正面断面図である。
【図１２】露光用光源装置１０２の直管状水銀ランプ１０６、光通過窓１０７、及びフェースパネル１０９の相対的位置関係を示す原理説明図である。
【符号の説明】
１　筐体、　２　露光用光源装置、　３　光学系、　４　アパーチャグリル、６　直管状水銀ランプ、　７　光通過窓、　８　光源発光長調整板、　９　フェースパネル、　１０　カラー陰極線管の露光装置、　１７　光通過窓、　１７ａ　側辺部、　１８　光源発光長調整板、　２７　光通過窓、　２７ａ　側辺部、　２８　光源発光長調整板、　１００　露光装置、　１０１　筐体、　１０２露光用光源装置（ランプハウス）、　１０３　光学系、　１０４　アパーチャグリル、　１０５　孔、　１０６　直管状水銀ランプ、　１０７　光通過窓、　１０８　光源発光長調整板、　１０９　フェースパネル、　１１０　塗布層、　１１１　冷却水注排孔、　１１２　採光用窓ガラス、　１１３　ロックリング。
【図１】
2004014455.tif 000003
【図２】
2004014455.tif 000004
【図３】
2004014455.tif 000005
【図４】
2004014455.tif 000006
【図５】
2004014455.tif 000007
【図６】
2004014455.tif 000008
【図７】
2004014455.tif 000009
【図８】
2004014455.tif 000010
【図９】
2004014455.tif 000011
【図１０】
2004014455.tif 000012
【図１１】
2004014455.tif 000013
【図１２】
2004014455.tif 000014